(57)【要約】【課題】  デジタル音響信号の入力ゲイン値とその後の信号処理におけるレベル調整処理のゲイン値とを、ユーザが容易かつ適切に設定できるようにする。【解決手段】  入力するデジタル音響信号に対してレベル調整を含む処理を行って出力するミキサ２０を操作するためのコンソール２０が、ユーザによる、ミキサ２０における信号入力部のヘッドアンプ４０１のゲイン値の設定操作と、入力ｃｈ４１０のレベル調整部４１２におけるゲイン値の設定操作を受け付け、あるヘッドアンプ４０１について受け付けたゲイン値と、そのヘッドアンプ４０１を通った音響信号をレベル調整するレベル調整部４１２について受け付けたゲイン値との和である総ゲイン値が０デシベルを超えた場合に、ユーザにその旨の警告を行うようにした。【選択図】        図４
2010232752.tif 000002
【特許請求の範囲】
【請求項１】
入力するデジタル音響信号に対して、信号処理チャンネルでレベル調整を含む信号処理を行って出力する音響信号処理装置を操作するためのコントローラであって、
ユーザによる、前記音響信号処理装置におけるデジタル音響信号の入力ゲイン値の設定操作を受け付けるゲイン設定受付手段と、
前記ユーザによる、前記音響信号処理装置が行う前記レベル調整処理のゲイン値の設定操作を受け付けるレベル設定受付手段と、
前記ゲイン設定受付手段がある入力音響信号について受け付けた入力ゲイン値と、前記レベル設定受付手段が前記ある入力音響信号が入力する信号処理チャンネルのレベル調整処理について受け付けたゲイン値との和である総ゲイン値が０デシベルを超えた場合に、前記ユーザにその旨の警告を行う警告手段とを設けたことを特徴とするコントローラ。
【請求項２】
請求項１に記載のコントローラであって、
前記レベル設定受付手段が前記ゲイン値を０デシベルを超える値にしようとする設定操作を検出した場合に、前記レベル設定受付手段にその設定操作を抑制させる抑制手段を設けたことを特徴とするコントローラ。
【請求項３】
請求項２に記載のコントローラであって、
前記レベル設定受付手段は、つまみを駆動する駆動手段を備えたスライダ操作子により前記レベル調整処理のゲイン値の設定を受け付ける手段であり、
前記抑制手段は、前記スライダ操作子のつまみがゲイン値０デシベルを超える位置に移動されないように前記駆動手段を制御することを特徴とするコントローラ。
【請求項４】
請求項２に記載のコントローラであって、
前記レベル設定受付手段は、つまみを駆動する駆動手段を備えたスライダ操作子により前記レベル調整処理のゲイン値の設定を受け付ける手段であり、
前記抑制手段は、前記スライダ操作子のつまみがゲイン値０デシベルを超える位置に移動された場合に該移動に抵抗する力を加え、前記つまみがゲイン値０デシベルを超える位置で離された場合に該つまみをゲイン値０デシベルの位置まで移動させるように前記駆動手段を制御することを特徴とするコントローラ。
【請求項５】
請求項１乃至４のいずれか一項に記載のコントローラであって、
前記音響信号処理装置が処理中の音響信号のレベルを表示するレベルメータと、
前記ゲイン設定受付手段が受け付けた入力ゲイン値と、前記レベル設定受付手段が受け付けたゲイン値とを、該ゲイン値に係るレベル調整が含まれる信号処理チャンネルで処理中の音響信号のレベルを表示するレベルメータと重ねて又はその近傍に、該レベルメータと同じスケールで表示するゲイン値表示手段とを設けたことを特徴とするコントローラ。
【発明の詳細な説明】
【技術分野】
【０００１】
この発明は、入力するデジタル音響信号に対して、信号処理チャンネルでレベル調整を含む信号処理を行って出力する音響信号処理装置を操作するためのコントローラに関する。
【背景技術】
【０００２】
従来から、音響信号処理装置であるデジタルミキサ（以下単に「ミキサ」という）において、入力端子から入力するアナログ音響信号のレベルが信号供給元の機器によりバラつくため、ヘッドアンプ（ＨＡ）によりそのレベルを概ね統一されたレベルに調整してから入力チャンネル（ｃｈ）に供給して、イコライジングやレベル調整（フェーダ）などの処理に供することが行われていた。
【０００３】
この場合のＨＡによるレベル調整は、ＡＤ変換前に信号の電圧を調整するものであっても、ＡＤ変換時の閾値を調整するものであってもよいが、信号供給元から供給される音響信号を、ダイナミックレンジを広く使ったデジタル波形データ（以下単に「波形データ」という）に変換できるようにするために行うものである。有限（例えば１サンプル２４ビット）の分解能しか持たない波形データで同じ波形を表現する場合、ダイナミックレンジを広く使えた方が、波形を分解能よく表現できるためである。
【０００４】
また、これとは別に、入力ｃｈにおけるフェーダのゲイン値を設定するための操作部の近傍に、そのｃｈで処理中の信号のレベルを示すレベルメータを設け、信号レベルを参照しながらフェーダのゲイン値を設定できるようにしたミキサも知られている（非特許文献１参照）。
【０００５】
さらに、特許文献１等において、アナログ入力，アナログ出力，デジタル入力，デジタル出力，ミキシング，エフェクト付与，録音再生，リモート制御，あるいはこれらの組み合わせ等の各種機能を有する装置を複数接続してそれらの装置間を循環するリング状のデータ伝送経路を形成させ、その伝送経路に特殊な伝送フレームを循環させて各装置がその伝送フレームに対して種々のデータを読み書きすることにより、任意の装置間で波形データのリアルタイム伝送とその他ＩＰパケット等のデータの伝送とを並行して行うことができるようにしたネットワークシステムが提案されている。
【先行技術文献】
【非特許文献】
【０００６】
【非特許文献１】「ＤＩＧＩＴＡＬ  ＭＩＸＩＮＧ  ＣＯＮＳＯＬＥ  Ｍ７ＣＬ  取扱説明書」，ヤマハ株式会社，２００５年，ｐ．１５３
【特許文献】
【０００７】
【特許文献１】特開２００８−９９２６５号公報
【発明の概要】
【発明が解決しようとする課題】
【０００８】
ところで、ミキサを用いて音響信号を処理しようとする場合、ミキサ自体にマイク等の信号供給元の機器を直接接続する態様の他、ＡＤ変換器を含む信号入力装置を別途用意してこちらに信号供給元の機器を接続し、ＡＤ変換後の波形データを、特許文献１に記載のものを始めとする何らかのネットワークを通して信号入力装置からミキサに入力する態様も考えられる。
【０００９】
このような態様の場合、ＡＤ変換時のゲイン調整を行うヘッドアンプは信号入力装置に設けることになる。しかし、この場合でも、信号入力装置側でのゲイン調整が必ず適切に行われるとは限らないことや、ミキサ自体に信号供給元の機器を接続する場合との操作感の統一を図るため等の理由から、ミキサ側にも、ヘッドアンプに相当する入力信号のゲイン調整機能（入力ゲイン調整機能）を設け、その調整後の波形データを入力ｃｈに供給する構成とすることが好ましい。
【００１０】
とはいえ、この構成を採用すると、１つの音響信号が入力してから入力ｃｈでの処理を終えるまでに、入力ゲイン調整とフェーダという、２つのほぼ等価なレベル調整処理を経ることになる。
このため、この２つのゲイン調整量の関係を意識しながら各ゲイン調整量を適切な値に設定しないと、処理後の音響信号として、スピーカ等の音声出力装置の破損につながるような音響信号を出力してしまったり、また無意味に音質を低下させてしまったりすることも考えられるという問題があった。
そして、従来は、このような問題を適切に解決するための技術は知られていなかった。
【００１１】
この発明は、このような問題を解決し、音響信号処理装置におけるデジタル音響信号の入力ゲイン値とその後の信号処理におけるレベル調整処理のゲイン値とを、ユーザが容易かつ適切に設定できるようにすることを目的とする。
【課題を解決するための手段】
【００１２】
この発明は、上記の目的を達成するため、入力するデジタル音響信号に対して、信号処理チャンネルでレベル調整を含む信号処理を行って出力する音響信号処理装置を操作するためのコントローラにおいて、ユーザによる、上記音響信号処理装置におけるデジタル音響信号の入力ゲイン値の設定操作を受け付けるゲイン設定受付手段と、上記ユーザによる、上記音響信号処理装置が行う上記レベル調整処理のゲイン値の設定操作を受け付けるレベル設定受付手段と、上記ゲイン設定受付手段がある入力音響信号について受け付けた入力ゲイン値と、上記レベル設定受付手段が上記ある入力音響信号が入力する信号処理チャンネルのレベル調整処理について受け付けたゲイン値との和である総ゲイン値が０デシベルを超えた場合に、上記ユーザにその旨の警告を行う警告手段とを設けたものである。
【００１３】
このようなコントローラにおいて、上記レベル設定受付手段が上記ゲイン値を０デシベルを超える値にしようとする設定操作を検出した場合に、上記レベル設定受付手段にその設定操作を抑制させる抑制手段を設けるとよい。
さらに、上記レベル設定受付手段を、つまみを駆動する駆動手段を備えたスライダ操作子により上記レベル調整処理のゲイン値の設定を受け付ける手段とし、上記抑制手段が、上記スライダ操作子のつまみがゲイン値０デシベルを超える位置に移動されないように上記駆動手段を制御するようにするとよい。
あるいは、上記抑制手段が、上記スライダ操作子のつまみがゲイン値０デシベルを超える位置に移動された場合にその移動に抵抗する力を加え、上記つまみがゲイン値０デシベルを超える位置で離された場合にそのつまみをゲイン値０デシベルの位置まで移動させるように上記駆動手段を制御するようにしてもよい。
【００１４】
また、上記の各コントローラにおいて、上記音響信号処理装置が処理中の音響信号のレベルを表示するレベルメータと、上記ゲイン設定受付手段が受け付けた入力ゲイン値と、上記レベル設定受付手段が受け付けたゲイン値とを、そのゲイン値に係るレベル調整が含まれる信号処理チャンネルで処理中の音響信号のレベルを表示するレベルメータと重ねて又はその近傍に、そのレベルメータと同じスケールで表示するゲイン値表示手段とを設けるとよい。
【発明の効果】
【００１５】
以上のようなこの発明のコントローラによれば、音響信号処理装置におけるデジタル音響信号の入力ゲイン値とその後の信号処理におけるレベル調整処理のゲイン値とを、ユーザが容易かつ適切に設定できるようにすることができる。
【図面の簡単な説明】
【００１６】
【図１】この発明のコントローラの実施形態であるコンソールと、そのコンソールによる操作の対象であるミキサとを含むミキサシステムの概略構成を示す図である。
【図２】図１に示したコントローラのハードウェア構成を示す図である。
【図３】同じくミキサのハードウェア構成を示す図である。
【図４】図１に示したミキサシステムを構成する各装置の機能ブロック図である。
【図５】図１に示したコンソールに設けるレベルメータの構成例を示す図である。
【図６】図１に示したコンソールのＣＰＵが入力ゲイン変更操作を検出した場合に実行する処理のフローチャートである。
【図７】同じく電動フェーダの操作を検出した場合に実行する処理のフローチャートである。
【発明を実施するための形態】
【００１７】
以下、この発明を実施するための形態を図面に基づいて具体的に説明する。
まず、図１に、この発明のコントローラの実施形態であるコンソールと、そのコンソールによる操作の対象の音響信号処理装置であるミキサとを含むミキサシステムの概略構成を示す。
【００１８】
図１に示すミキサシステム１は、Ａ／Ｄ変換装置１０，コンソール２０，ミキサ４０，Ｄ／Ａ変換装置６０を相互に接続し、特許文献１に記載のようなリング状のデータ伝送経路を有するネットワークＮを形成させたものである。そして、そのデータ伝送経路に伝送フレームＴＬを循環させ、各装置が、他の装置との間で送信すべきデータをその伝送フレームＴＬに書き込み、他の装置から受信すべきデータをその伝送フレームＴＬから読み出すことにより、各装置は、他の任意の装置との間で、デジタル音響信号である波形データや、ＩＰパケット等の種々のデータを送受信することができる。
【００１９】
そして、Ａ／Ｄ変換装置１０は、マイク等の供給元から入力するアナログ音響信号を波形データに変換してミキサ４０に供給する。また、コンソール２０は、ミキサ４０を操作するためのリモートコントローラであり、ユーザからミキサ４０において信号処理に用いるパラメータの値の設定操作を受け付け、ミキサ４０に、その操作に従ったパラメータの値を設定させる。
【００２０】
ミキサ４０は、コンソール２０からの指示により設定したパラメータの値に従って、Ａ／Ｄ変換装置１０から供給される波形データに対して種々の信号処理を行い、その結果をＤ／Ａ変換装置６０に供給する。そして、Ｄ／Ａ変換装置６０は、ミキサ４０から供給される波形データをＤ／Ａ変換して、その変換後のアナログ音響信号を、スピーカ等の出力先に出力する。
以上の各装置の機能により、ミキサシステム１は、Ａ／Ｄ変換装置１０に入力する音響信号を、コンソール２０により操作されるミキサ４０で処理し、Ｄ／Ａ変換装置６０から出力することができる。
【００２１】
次に、図２に、コンソール２０のハードウェア構成を示す。
図２に示すように、コンソール２０は、ＣＰＵ２１，ＲＯＭ２２，ＲＡＭ２３，操作検出回路２４，表示制御回路２５，ネットワークＩ／Ｆ２６を備え、これらがシステムバス２７によって接続されている。また、操作検出回路２４には操作子３１が、表示制御回路２５には表示器３２が、それぞれ接続されている。
【００２２】
そして、ＣＰＵ２１は、コンソール２０の動作を制御する制御手段であり、ＲＯＭ２２に記憶された所要の制御プログラムを実行することにより、ネットワークＩ／Ｆ２６による伝送フレームＴＬに対するデータ読み書きの制御、操作検出回路２４を介した操作子３１の操作内容検出、表示制御回路２５を介した表示器３２の表示制御等の種々の制御を行うことができる。
【００２３】
ＲＯＭ２２は、ＣＰＵ２１が実行する制御プログラム等を記憶する、フラッシュメモリ等の書き換え可能な不揮発性記憶手段である。
ＲＡＭ２３は、一時的に記憶すべきデータを記憶したり、ＣＰＵ２１のワークメモリとして使用したりする記憶手段である。
【００２４】
操作検出回路２４は、操作子３１における操作を検出するための回路である。操作子３１は、コンソール２０に対する操作を受け付けるためのものである。このコンソール２０は、図３に示すミキサ４０のＤＳＰ４７が信号処理に用いる種々のパラメータの値を操作できるよう、多数の各種キー、ボタン、スライダ、ロータリーエンコーダや、表示器３２を構成する液晶ディスプレイ（ＬＣＤ）に積層したタッチパネル等を備える。
【００２５】
表示制御回路２５は、ＣＰＵ２１からの指示に従って表示器３２における表示を制御するための回路である。表示器３２は、ＧＵＩ（グラフィカル・ユーザ・インタフェース）や、ミキサ４０における設定状態、ミキサ４０において処理中の音響信号の特性などを表示するための表示手段であり、各種の発光ダイオード（ＬＥＤ）やＬＣＤ等により構成される。
【００２６】
ネットワークＩ／Ｆ２６は、コンソール２０をネットワークＮに接続するためのインタフェースである。そして、受信した伝送フレームＴＬからコンソール２０が取得すべきデータを読み出すと共に、その伝送フレームＴＬに、他の装置に送信すべきデータを書き込み、伝送経路上の次の装置に送信することにより、データの送受信を行う。コンソール２０から外部に送信するデータとしては、操作子３１により受け付けた、ミキサ４０のパラメータ値の変更内容が考えられる。また、コンソール２０が外部から受信するデータとしては、ミキサ４０において処理中の波形データのレベル等が考えられる。
【００２７】
次に、図３にミキサ４０のハードウェア構成を示す。
図３に示すように、ミキサ４０は、ＣＰＵ４１，ＲＯＭ４２，ＲＡＭ４３，操作検出回路４４，表示制御回路４５，ネットワークＩ／Ｆ４６，信号処理部（ＤＳＰ）４７を備え、これらがシステムバス４８によって接続されている。また、操作検出回路４４には操作子５１が、表示制御回路４５には表示器５２がそれぞれ接続されている。
【００２８】
これらのうちＤＳＰ４７を除く各部の構成や機能は、以下の点を除き、コンソール２０において説明したものと概ね同様である。
まず、ＣＰＵ４１は、ＤＳＰ４７における信号処理の制御等の種々の制御も行う。
操作子５１は、ミキサ４０に対する操作を受け付けるためのものであるが、ここでは信号処理パラメータの設定等の複雑な操作はコンソール２０により受け付けるため、少数のキー、ボタン等からなる簡単な構成としている。
表示器５２は、ミキサ４０の動作状態等を表示する表示手段であるが、ここでは、現在設定されている信号処理パラメータの内容や、操作受付のための細かなＧＵＩ等の複雑な内容はコンソール２０に表示させるため、少数の発光ダイオード（ＬＥＤ）や小型の液晶ディスプレイ（ＬＣＤ）等からなる簡単な構成としている。
【００２９】
また、ネットワークＩ／Ｆ４６は、伝送フレームＴＬから読み出したデータのうち波形データはＤＳＰ４７に渡して音響信号処理に供し、その他のデータはＣＰＵ４１に渡す。
ＤＳＰ４７は、信号処理回路を含み、ネットワークＩ／Ｆ４６から渡される波形データを入力し、カレントメモリに記憶してある各種パラメータの現在値に従って、ミキシング、イコライジング、レベル調整等の各種信号処理を施す信号処理手段である。処理後の波形データは、ネットワークＩ／Ｆ４６に出力し、ネットワークＩ／Ｆ４６はその波形データを伝送フレームＴＬに書き込んで他の装置に出力する。また、カレントメモリの記憶領域は、ＲＡＭ４３又はＤＳＰ４７の内蔵メモリに設ける。
【００３０】
Ａ／Ｄ変換装置１０及びＤ／Ａ変換装置６０のハードウェアについては図示を省略するが、コンソール２０やミキサ４０と同様、ＣＰＵ，ＲＯＭ，ＲＡＭ及びネットワークＩ／Ｆを備えて伝送フレームＴＬを用いたデータの送受信を行い、これに加えて信号入力／出力端子やＡ／Ｄ又はＤ／Ａの変換器を有するものである。
【００３１】
次に、図４に、ミキサシステム１を構成する各装置の機能ブロック図を示す。なお、この図には、この実施形態の特徴に関連する部分の機能構成のみを示した。
図４に示すように、まず、Ａ／Ｄ変換装置１０は、Ａ／Ｄ変換部１０１とＡ／Ｄゲイン設定部１０２を有する。そして、マイク等の音響信号供給元から供給された複数のアナログ音響信号をＡ／Ｄ変換部１０１においてＡ／Ｄ変換して複数ｃｈの波形データを生成し、伝送フレームＴＬに書き込むことにより、入力されたアナログ音響信号と対応する波形データを他の装置に供給することができる。ここでは、ミキサ４０がその書き込んだ波形データを読み出す。
【００３２】
Ａ／Ｄゲイン設定部１０２は、Ａ／Ｄ変換部１０１に備えるヘッドアンプのゲインを設定する。そのゲインの具体的な数値は、図示しない操作子の操作や、コンソール２０からの操作により、ユーザが行うことができる。
【００３３】
一方、ミキサ４０は、伝送フレームＴＬから読み出した波形データを、ヘッドアンプ４０１で入力ゲイン調整し、この調整後の波形データを、入力パッチ４０２が定める対応関係に従い、入力ｃｈ４１０に入力する。ヘッドアンプ４０１は、波形データのレベルを調整するものであるから、具体的な処理としては、各サンプリング周期のデータ値に、設定されているゲイン値を乗算して出力する処理を行う。
【００３４】
入力ｃｈ４１０では、入力する波形データに対し、信号処理部４１１において、コンプレッサ、アッテネータ、イコライザ、オン等の種々の信号処理要素によって特性調整を行った後、レベル調整部４１２により、レベルの調整を行う。レベル調整部４１２による処理も、ヘッドアンプ４０１の場合と同様、波形データのレベルを調整するものであるから、具体的な処理内容も、ヘッドアンプ４０１の場合と同様である。
【００３５】
レベル調整部４１２による処理後の波形データは、ミキシングバス４２１に供給して複数ｃｈ分ミキシングし、出力ｃｈ４２２において後処理を行った後、ネットワークＩ／Ｆ４６に戻して伝送フレームＴＬに書き込ませることにより、他の装置に供給する。ここではＤ／Ａ変換装置６０がその書き込んだ波形データを読み出す。
【００３６】
Ｄ／Ａ変換装置６０は、Ｄ／Ａ変換部６０１とＤ／Ａゲイン設定部６０２を有する。そして、ミキサ４０が伝送フレームＴＬに書き込んだ複数ｃｈ波形データを読み出し、Ｄ／Ａ変換部６０１においてＤＡ変換して複数のアナログ音響信号を生成し、それぞれスピーカ等の音響信号出力先に出力する。
Ｄ／Ａゲイン設定部６０２は、Ｄ／Ａ変換部６０１が出力するアナログ音響信号のレベルを設定する。そのレベルの具体的な数値は、図示しない操作子の操作や、コンソール２０からの操作により、ユーザが行うことができる。
【００３７】
なお、ミキサ４０について、図では、ヘッドアンプ４０１から出力ｃｈ４２２までの構成要素は各１つしか示していないが、実際にはミキサ４０はこれらを複数備えている。例えば、ＤＳＰ４７はネットワークＩ／Ｆ４６から供給される４８系統の波形データを４８個の入力ポートから入力し、それぞれ個別にヘッドアンプ４０１で入力ゲイン調整を行うことができる。また、入力ｃｈ４１０も４８ｃｈ備え、どのポートから入力した波形データをどの入力ｃｈに供給するかの対応関係は、入力パッチ４０２が、ユーザにより設定される入力パッチデータの内容に従って定める。
【００３８】
さらに、各ｃｈのレベル調整部４１２においてレベル調整した波形データは、１６本のミキシングバス４２１の各々に対し、出力先毎に更なるレベル調整を行った上で出力することができる。それらの各ミキシングバス４２１では、４８ｃｈの各入力ｃｈ４１０から入力する波形データを加算してミキシングを行い、その結果を対応する出力ｃｈ４２２に出力する。
【００３９】
また、ミキサ４０における以上の信号処理に使用するパラメータの値は、入力ゲイン設定部４３１、フェーダゲイン設定部４３２、およびその他パラメータ設定部４３３が、コンソール２０から供給される指示に応じて設定する。具体的には、コンソール２０からの指示に応じて、カレントメモリの内容を変更し、各部に、最新のカレントメモリの内容に応じた信号処理を実行させる。
なおここでは、実施形態の特徴に関連する部分であるので、入力ゲイン設定部４３１とフェーダゲイン設定部４３２をその他の設定部と分けて示したが、ミキサ４０側では、これらの設定部に他の設定部と格別異なる動作をさせる必要はない。
【００４０】
一方、コンソール２０側では、入力ゲイン設定受付部２０１、フェーダゲイン設定受付部２０２、およびその他設定受付部２０３が、ミキサ４０において使用するパラメータの値の設定操作を受け付ける。
入力ゲイン設定受付部２０１は、不図示のゲインつまみにより、ユーザによる、各入力ポートと対応するヘッドアンプ４０１のゲイン値（以下「入力ゲイン」と呼ぶ）の設定操作をポート毎に受け付ける。フェーダゲイン設定受付部２０２は、つまみを駆動する駆動手段を有するスライダ操作子である電動フェーダ２２３により、ユーザによる、各入力ｃｈ４１０のレベル調整部４１２のゲイン値（以下「フェーダゲイン」と呼ぶ）の設定をｃｈ毎に受け付ける。その他設定受付部２０３は、それ以外のパラメータの値の設定操作を受け付ける。
【００４１】
そして、これらの設定受付部２０１〜２０３が受け付けた設定操作の内容は、図示を省略したコンソール２０側のカレントメモリの内容に反映させた後、その変更した部分の内容をミキサ４０側の対応する設定部４３１〜４３３に通知して、ミキサ４０側のカレントメモリに同内容の変更を行わせるようにしている。このような構成を採るのは、コンソール２０側でもパラメータの現在値を把握して、レスポンスよく表示に反映できるようにするためである。
【００４２】
また、コンソール２０上には、図２に示した表示器３２の一部として、レベルメータ２２２を設けている。
図５に、このうちレベルメータ２２２の２つの構成例を示す。
（ａ）に示す例では、レベルメータ２２２は、ＬＣＤ上に画面として表示される。そして、レベル表示部２２２ａに、バーグラフにより１つの入力ｃｈ４１０における信号レベルを表示している。図では、０ｄＢ（デシベル）の信号レベルを表示した状態を示している。なお、ここで表示する信号レベルは、レベル調整部４１２による処理後の波形データのものとは限らず、入力ｃｈ４１０のうちユーザが指定した任意の箇所のものとすることができる。
【００４３】
また、レベル表示部２２２ａの近傍には、フェーダゲインインジケータ２２２ｂ及び入力ゲインインジケータ２２２ｃにより、その入力ｃｈ４１０におけるフェーダゲインと、その入力ｃｈ４１０に信号を供給する入力ポートにおける入力ゲインとを、信号レベルと同じスケールで表示している。フェーダゲインインジケータ２２２ｂと入力ゲインインジケータ２２２ｃとが重なる場合には、（ｂ）に示すようにフェーダゲインインジケータ２２２ｂを上側にして重ねて表示する。
【００４４】
コンソール２０においては、このような表示を行うことにより、ユーザは、入力パッチの設定によらず、各入力ｃｈ４１０で処理する信号に対して直列的に行われるレベル調整処理のゲインの現在値を、まとめて参照しながらゲイン値の設定操作を行うことができる。従って、意図せず高すぎるゲインを設定して出力先のスピーカを破損させるような事態を防止することができる。
【００４５】
なお、図５（ｃ）に示す例では、レベルメータ２２２は直線状に配置された複数のランプにより構成され、信号レベルを表示するバーグラフ中で、グラフとは異なる色でランプを点灯させることにより、その点灯箇所をフェーダゲインインジケータ２２２ｄ及び入力ゲインインジケータ２２２ｅとして用い、信号レベルと重ねて表示するようにしている。このような構成であっても、（ａ）の場合と同様なゲイン値の表示は可能である。
また、上記の他、グラフやランプの該当位置を枠で囲む等の手法によりゲイン値を表示することも考えられる。
【００４６】
以上のような表示の制御は、図４に示したレベルメータ制御部２１２が、入力ゲイン設定受付部２０１及びフェーダゲイン設定受付部２０２が受け付けたゲイン値の設定内容（コンソール２０側のカレントメモリの内容）と、ミキサ４０から定期的に供給される各入力ｃｈ４１０の信号レベルの情報とに基づいて行う。
【００４７】
また、コンソール２０は、図２に示した表示器３２の一部として、ディスプレイ２２１も設けている。そして、ユーザが行った設定操作の結果、ある入力ｃｈ４１０におけるフェーダゲインと、その入力ｃｈ４１０に信号を供給する入力ポートにおける入力ゲインとの合計が０ｄＢを超えた場合には、その旨の警告をディスプレイ２２１に表示させるようにしている。
【００４８】
この警告は、例えば「ゲイン値の設定が大きすぎます」のようなメッセージの表示によって行ってもよいし、図５に示したフェーダゲインインジケータ２２２ｂ，２２２ｄや入力ゲインインジケータ２２２ｃ，２２２ｅの表示色を変えたり、点滅させたりすることにより行ってもよい。そして、その表示制御は、警告制御部２１１が、入力ゲイン設定受付部２０１及びフェーダゲイン設定受付部２０２が受け付けたゲイン値の設定内容に基づいて行う。
【００４９】
Ａ／Ｄ変換装置１０から供給される波形データは、Ａ／Ｄ変換装置１０におけるヘッドアンプのゲイン値が適切に設定されていれば、ダイナミックレンジを大きく使ったデータになっているはずである。従って、ミキサ４０において、ゲインの合計がプラスになるようなレベル調整を行ってしまうと、ダイナミックレンジを振り切った、スピーカ等の音声出力機器に悪影響を及ぼす波形データを出力してしまう恐れがある。しかし、上記の警告を行うことにより、ユーザが意図せずこのような危険な設定を行ってしまうことを防止できる。
【００５０】
また、コンソール２０においては、フェーダゲインを０ｄＢより大きくする設定は受け付けないようにしている。そしてこのため、電動フェーダ駆動部２１３が電動フェーダ２２３の操作内容（フェーダゲイン設定受付部２０２が検出する）を監視し、ゲイン値を０ｄＢより大きくしようとする操作を検出した場合には、０ｄＢの位置より先につまみを移動させないようにしている。
【００５１】
ミキサ４０において、ヘッドアンプ４０１でレベルを下げた後（ゲイン値０ｄＢ未満）、入力ｃｈのレベル調整部４１２で同じだけレベルを上げる（ゲイン値０ｄＢ超）ような設定をした場合、処理後の信号レベルは元の信号レベルと変わらないのに、ヘッドアンプ４０１でのレベル低減処理時に切り捨てられる下位ビットの情報は、レベル調整部４１２でのレベル増加処理時に完全に復元されず、無意味な音質低下に繋がる。
【００５２】
従って、レベル調整部４１２で０ｄＢを超える設定が必要になるくらい入力波形データのレベルが低いのであれば、ヘッドアンプ４０１でゲインを大きくすることで対処することが妥当である。そしてここでは、フェーダゲインの値を０ｄＢより大きくする設定は受け付けないようにしているため、ユーザが音を聞きながらゲイン値を意識せずに電動フェーダ２２３を操作するような場合でも、不適切な設定を行ってしまうことを効果的に防止できる。
【００５３】
また、一般の電動フェーダにおいては、操作量とフェーダゲインとの関係がリニアではなく、０ｄＢより少し小さい場所で最も細かい設定操作ができるようになっている。従って、ユーザには、なるべくこの領域で電動フェーダを操作できるようにすることを意識して、入力ゲインを設定させることが好ましいと言える。
【００５４】
なお、ここでは０ｄＢを超える設定が全く行えないようにしているが、このようにすることは必須ではなく、０ｄＢを超える設定を効果的に抑制できれば概ね同様な効果がえられる。このためには、例えば、０ｄＢを超える位置につまみが移動された場合にそれまでより抵抗を強く加えるようにし、さらに０ｄＢを超える位置でつまみが離された場合には、自動的に０ｄＢの位置までつまみを戻すと共に、フェーダゲインの設定内容もそれに応じて自動的に変更するようにすることが考えられる。
【００５５】
次に、以上説明してきた、ミキサ４０の入力ゲイン及びフェーダゲインの設定に関連するコンソール２０の機能を実現するためにコンソール２０のＣＰＵ２１が実行する処理について説明する。
まず、図６に、入力ゲイン変更操作を検出した場合の処理のフローチャートを示す。
コンソール２０のＣＰＵ２１は、つまみの操作等により、いずれかの入力ポートについて入力ゲインを変更する操作があったことを検出すると、図６のフローチャートに示す処理を開始する。
【００５６】
そして、まず検出した操作に応じてコンソール２０側のカレントメモリ中の入力ゲインの値を変更する（Ｓ１１）。その後、変更後の入力ゲインの値をミキサ２０に送信し、ミキサ２０側のカレントメモリの内容を更新させる（Ｓ１２）。ここまでで、操作に応じたゲイン値の変更は完了する。
【００５７】
次に、ＣＰＵ１１は、入力パッチ４０２の設定内容を示す入力パッチデータ（ミキサ２０が信号入力を受け付け可能な全てのポートにつき、そこから入力する波形データをどの入力ｃｈに供給するかが設定されている）を参照し、入力ゲイン変更操作のあった入力ポートの波形データが供給される入力ｃｈを特定する（Ｓ１３）。そして、その特定した入力ｃｈのレベルメータ２２２に、ステップＳ１１での変更後の入力ゲインの値を表示させる（Ｓ１４）。ここまでの処理が、レベルメータ制御部２１２の機能と対応する処理である。
【００５８】
次に、ＣＰＵ１１は、変更後の入力ゲインの値とステップＳ１３で特定した入力ｃｈのフェーダゲインの値の合計が０ｄＢより大きいか否か判断し（Ｓ１５）、大きい場合には、変更後の入力ゲインの値が大きすぎる旨をディスプレイ２２１に表示させて警告を行い（Ｓ１６）、処理を終了する。ステップＳ１５で０ｄＢ以下の場合には、警告は行わずに処理を終了する。ここまでの処理が、警告制御部２１１の機能と対応する処理である。
【００５９】
次に、図７に、電動フェーダ２２３の操作を検出した場合の処理のフローチャートを示す。
コンソール２０のＣＰＵ２１は、いずれかの入力ｃｈと対応する電動フェーダ２２３の操作、すなわちフェーダゲインの値を変更する操作があったことを検出すると、図７のフローチャートに示す処理を開始する。
【００６０】
この処理においてはまず、検出した操作が、フェーダゲインを０ｄＢより大きくしようとする操作であったか否か判断する（Ｓ２１）。そして、これがＹＥＳであれば、操作された電動フェーダ２２３のモータを作動させたり、ストッパをかけたりして、そのつまみを０ｄＢの位置で停止さる（Ｓ２２）。この場合、操作に応じた変更後のフェーダゲインは０ｄＢとなる。ステップＳ２１でＮＯの場合は、モータを作動させる処理は行わない。ここまでの処理が、電動フェーダ駆動部２１３の機能と対応する処理である。なお、ステップＳ２２において、つまみを完全に停止させずに、抵抗を加えるのみとしてもよいことは、上述の通りである。この場合、フェーダゲインの値が０ｄＢを超えることもあり得る。
【００６１】
その後、いずれの場合も、まず検出した操作に応じてコンソール２０側のカレントメモリ中のフェーダゲインの値を変更する（Ｓ２３）。そして、変更後のフェーダゲインの値をミキサ２０に送信し、ミキサ２０側のカレントメモリの内容を更新させる（Ｓ２４）。ここまでで、操作に応じたゲイン値の変更は完了する。
【００６２】
次に、ＣＰＵ１１は、変更操作のあった入力ｃｈのレベルメータ２２２に、ステップＳ２３での変更後のフェーダゲインの値を表示させる（Ｓ２４）。この処理が、レベルメータ制御部２１２の機能と対応する処理である。
【００６３】
次に、ＣＰＵ１１は、入力パッチデータを参照し、フェーダゲイン変更操作のあった入力ｃｈに波形データを供給する入力ポートを特定する（Ｓ２６）。そして、変更後のフェーダゲインの値とステップＳ２６で特定した入力ポートの入力ゲインの値の合計が０ｄＢより大きいか否か判断し（Ｓ２７）、大きい場合には、変更後のフェーダゲインの値が大きすぎる旨をディスプレイ２２１に表示させて警告を行い（Ｓ２８）、処理を終了する。ステップＳ２７で０ｄＢ以下の場合には、警告は行わずに処理を終了する。ここまでの処理が、警告制御部２１１の機能と対応する処理である。
コンソール２０は、ＣＰＵ２１に以上の処理を実行させることにより、図４を用いて説明した、ミキサ４０の入力ゲイン及びフェーダゲインの設定に関連する機能を実現することができる。
【００６４】
以上で実施形態の説明を終了するが、装置の構成や具体的な処理内容、画面の表示例、操作方法等が上述の実施形態で説明したものに限られないことはもちろんである。
例えば、上述した実施形態では、コンソール２０がミキサ４０と別体である例について説明したが、ミキサ４０と一体であってもよい。すなわちミキサ４０が備える操作パネルに、上述したコンソール２０と同様な機能を設けてもよい。
【００６５】
また、コンソール２０とミキサ４０との接続を、上述のようなネットワークＮではなく、ＵＳＢ（Universal Serial Bus）規格やＩＥＥＥ（Institute of Electrical and Electronics Engineers）１３９４規格のインタフェースを用いた直接接続としたり、イーサネット（登録商標）等の他の規格のネットワークを用いて行ったりしてもよい。
また、この発明のコントローラによる操作の対象も必ずしもミキサには限られない。
また、以上述べてきた構成及び変形例は、矛盾しない範囲で適宜組み合わせて適用することも可能である。
【産業上の利用可能性】
【００６６】
以上の説明から明らかなように、この発明のコントローラによれば、音響信号処理装置におけるデジタル音響信号の入力ゲイン値とその後の信号処理におけるレベル調整処理のゲイン値とを、ユーザが容易かつ適切に設定できるようにすることができる。
従って、この発明を適用することにより、音響信号処理装置の運用性を向上させることができる。
【符号の説明】
【００６７】
１…ミキサシステム、１０…Ａ／Ｄ変換装置、２０…コンソール、４０…ミキサ、６０…Ｄ／Ａ変換装置、２０１…入力ゲイン設定受付部、２０２…フェーダゲイン設定受付部、２１１…警告制御部、２１２…レベルメータ制御部、２１３…電動フェーダ駆動部、２２２…レベルメータ、２２２ａ…レベル表示部、２２２ｂ，２２２ｄ…フェーダゲインインジケータ、２２２ｃ，２２２ｅ…入力ゲインインジケータ、Ｎ…ネットワーク、ＴＬ…伝送フレーム
【図１】
2010232752.tif 000003
【図２】
2010232752.tif 000004
【図３】
2010232752.tif 000005
【図４】
2010232752.tif 000006
【図６】
2010232752.tif 000007
【図７】
2010232752.tif 000008
【図５】
2010232752.tif 000009